(57)【要約】    【課題】  良好な水密性を有するとともに、容易な水位調整作業を実現するプッシュ式水門ゲートを提供することである。    【解決手段】  水門の両側縁に沿って配置されたＬ形横断面のアングル材又はコ形横断面のチャンネル材製の一対のガイドレールの溝内に両縁部が収容された扉体（１２）と、扉体を昇降させる際に用いられるレバー（１６）とを備え、扉体の一方の面（１２ａ）に、パッキンとなるゴム材（１４）が取り付けられており、レバーが、押し出すと扉体の一方の面（１２ａ）を水門の縁部に押しつけて扉体を固定し、引き上げると扉体の一方の面（１２ａ）への押しつけが解除されて扉体を自由に昇降できるように構成されていることを特徴とする。【選択図】  図１
2006037374.tif 000002
【特許請求の範囲】
【請求項１】
プッシュ式水門ゲートであって、
水門の両側縁に沿って配置されたＬ形横断面のアングル材又はコ形横断面のチャンネル材製の一対のガイドレールの溝内に両縁部が収容された扉体と、
前記扉体を昇降させる際に用いられるレバーとを備え、
前記扉体の一方の面に、パッキンとなるゴム材が取り付けられており、
前記レバーが、押し出すと前記扉体の前記一方の面を前記水門の縁部に押しつけて前記扉体を固定し、引き上げると前記扉体の前記一方の面への押しつけが解除されて前記扉体を自由に昇降できるように構成されていることを特徴とする水門ゲート。
【請求項２】
前記レバーが、細長いプレートで形成され、両端に開口部がそれぞれ設けられた第１部分と、多角形又は楕円形のプレートで形成され、中央に開口部が設けられた第２部分と、前記第１部分の一方の開口部及び前記第２部分の開口部を貫通して延び前記第１部分及び前記第２部分に固定されたシャフト部分と、前記第１部分の他方の開口部にボルトで固定された細長いハンドル部分と、前記シャフト部分の前記第１部分と前記第２部分との間に配置され、前記扉体の他方の面に固定された接続板とを有し、前記シャフト部分が、前記接続板の中央に設けられた開口部を回転可能に貫通しており、
前記レバーが、押し出すと、前記レバーの前記第２部分の１つの頂点部又は辺部がガイドレールの溝の内端部に当たり且つ前記レバーの前記第２部分の別の頂点部又は辺部が前記扉体の前記他方の面に当たって前記扉体を前記水門の縁部に押しつけて前記扉体を固定し、引き上げると、前記レバーの前記第２部分の前記１つの頂点部又は辺部がガイドレールの溝の内端部から離れ且つ前記レバーの前記第２部分の前記別の頂点部及び辺部が前記扉体の前記他方の面から離れて前記扉体を自由に昇降できるように構成されていることを特徴とする請求項１に記載の水門ゲート。
【発明の詳細な説明】
【技術分野】
【０００１】
本発明は一般に、水路に設けられる水門ゲートに関する。より詳細には、本発明は、水位の調整の容易なプッシュ式水門ゲートに関する。
【背景技術】
【０００２】
水路の水位を調整するため、水路の所要箇所に水門ゲートが設置されている。従来、水門ゲートとしては、横長の板を上方から１枚ずつガイドレールに差し込み、ゲートの高さを調整することによって水位を調整する、いわゆる角落とし方式の水門ゲート、スピンドルを回転させることによって昇降するように構成されたスピンドル式水門ゲート等が知られている。
【発明の開示】
【発明が解決しようとする課題】
【０００３】
しかしながら、角落とし方式の水門ゲートは、水密性が良くないという課題がある。一方、スピンドル式水門ゲートは、良好な水密性を有するものの、ゲートの下端の高さで水位を調整するため、水位調整時に目視することができず、水位調整作業が容易ではないという課題がある。
【０００４】
したがって、本発明は、従来の角落とし方式の水門ゲートやスピンドル式水門ゲートの課題を解決すべく案出されたものであって、良好な水密性を有するとともに、容易な水位調整作業を実現するプッシュ式水門ゲートを提供することを目的とする。
【課題を解決するための手段】
【０００５】
本願請求項１に記載のプッシュ式水門ゲートは、水門の両側縁に沿って配置されたＬ形横断面のアングル材又はコ形横断面のチャンネル材製の一対のガイドレールの溝内に両縁部が収容された扉体と、前記扉体を昇降させる際に用いられるレバーとを備え、前記扉体の一方の面に、パッキンとなるゴム材が取り付けられており、前記レバーが、押し出すと前記扉体の前記一方の面を前記水門の縁部に押しつけて前記扉体を固定し、引き上げると前記扉体の前記一方の面への押しつけが解除されて前記扉体を自由に昇降できるように構成されていることを特徴とするものである。
【０００６】
本願請求項２に記載のプッシュ式水門ゲートは、前記請求項１の水門ゲートにおいて、前記レバーが、細長いプレートで形成され、両端に開口部がそれぞれ設けられた第１部分と、多角形又は楕円形のプレートで形成され、中央に開口部が設けられた第２部分と、前記第１部分の一方の開口部及び前記第２部分の開口部を貫通して延び前記第１部分及び前記第２部分に固定されたシャフト部分と、前記第１部分の他方の開口部にボルトで固定された細長いハンドル部分と、前記シャフト部分の前記第１部分と前記第２部分との間に配置され、前記扉体の他方の面に固定された接続板とを有し、前記シャフト部分が、前記接続板の中央に設けられた開口部を回転可能に貫通しており、前記レバーが、押し出すと、前記レバーの前記第２部分の１つの頂点部又は辺部がガイドレールの溝の内端部に当たり且つ前記レバーの前記第２部分の別の頂点部又は辺部が前記扉体の前記他方の面に当たって前記扉体を前記水門の縁部に押しつけて前記扉体を固定し、引き上げると、前記レバーの前記第２部分の前記１つの頂点部又は辺部がガイドレールの溝の内端部から離れ且つ前記レバーの前記第２部分の前記別の頂点部及び辺部が前記扉体の前記他方の面から離れて前記扉体を自由に昇降できるように構成されていることを特徴とするものである。
【発明の効果】
【０００７】
本発明のプッシュ式水門ゲートによれば、良好な水密性を保持しつつ、レバーの押し出し／引き上げという簡単な操作で、水位調整を目視した状態で容易に行うことができる。また、本発明のプッシュ式水門ゲートは、構造が簡単であるため、製造コスト、維持コストが安価であり、故障した場合にも容易に修理することができる。
【発明を実施するための最良の形態】
【０００８】
次に、図面を参照して、本発明の好ましい実施の形態に係るプッシュ式水門ゲートについて詳細に説明する。図１は、本発明の好ましい実施の形態に係るプッシュ式水門ゲートの正面図、図２は、図１の部分２の拡大斜視図である。図１において全体として参照符号１０で示される本発明の好ましい実施の形態に係るプッシュ式水門ゲートは、扉体１２を備えている。扉体１２は、矩形の全体形状を有しており、好ましくはステンレス鋼板で形成されている。扉体１２の一方の面１２ａの縁部に沿って、パッキンの役目を果たすゴム材１４が取り付けられている。
【０００９】
プッシュ式水門ゲート１０は又、扉体１２を昇降させる際に用いられるレバー１６を備えている。レバー１６は、細長いプレートで形成され、両端に２つの開口部１８ａ、１８ｂが設けられた第１部分１８と、六角形のプレートで形成され、中央に開口部２０ａが設けられた第２部分２０と、第１部分１８の開口部１８ａ及び第２部分２０の開口部２０ａを貫通して延びたシャフト部分２２と、第１部分１８の開口部１８ｂにボルト２６で固定された細長いハンドル部分２４とを有している。なお、第１部分１８とシャフト部分２２及び第２部分２０とシャフト部分２２は、それぞれ開口部１８ａ、２０ａのところで溶接によって堅固に固定されている。
【００１０】
シャフト部分２２の第１部分１８と第２部分２０との間には、レバー１６と扉体１２とを接続するための接続板２８が配置されている。接続板２８は、中央に開口部２８ａが設けられた矩形のプレートで形成されており、シャフト部分２２が開口部２８ａを回転可能に貫通している（すなわち、開口部２８ａの径がシャフト部分２２の径よりも大きくなるように形成されている）。接続板２８は、扉体１２の他方の面１２ｂ（ゴム材１４が取り付けられている面と反対側の面）に溶接で堅固に固定されている。
【００１１】
図３は、プッシュ式水門ゲート１０が水門に取り付けられている状態を示した正面図、図４は、図３の線４−４に沿って見た断面図である。プッシュ式水門ゲート１０が取り付けられる水門には、両側縁に沿って、Ｌ形横断面のアングル材で形成された一対のガイドレールが配置されており、プッシュ式水門ゲート１０の扉体１２の両縁部並びにレバー１６のうち第２部分２０が、ガイドレールの溝内に収容されている。
【００１２】
次に図５及び図６を参照して、以上のように構成されたプッシュ式水門ゲート１０の使用について説明する。プッシュ式水門ゲート１０は通常、図５（ｂ）に示されるように、レバー１６の第２部分２０の１つの頂点部がガイドレールの溝の内端部（一点鎖線で図示）に当たり且つレバー１６の第２部分２０の別の頂点部が扉体１２の面１２ｂに当たって扉体１２を水門縁部のコンクリート体の方へ押しつけ（その結果、扉体１２の面１２ａに設けられたゴム材１４が水門に押しつけられ）ているため、水門ゲート１０が一定の高さのところに位置決めされ固定された状態になっている。一方、水位を調整しようとするときには、図６（ａ）の矢印で示されるように、レバー１６のハンドル部分２４を手前（図６（ａ）において右方）に引き上げる。すると、レバー１６の第２部分２０の前記１つの頂点部がガイドレールの溝の内端部から離れ且つレバー１６の第２部分２０の前記別の頂点部が扉体１２の面１２ｂから離れるため（図６（ｂ）参照）、扉体１２を自由に昇降させることができるようになる。そして、その状態で扉体１２を所望の高さに昇降させて水位を調整すると、図５（ａ）の矢印で示されるように、レバー１６のハンドル部分２４を押し出して、レバー１６の第２部分２０の１つの頂点部がガイドレールの溝の内端部に当たり且つレバー１６の第２部分２０の別の頂点部が扉体１２の面１２ｂに当たって扉体１２を水門縁部のコンクリート体の方へ押しつけるようにする。すると、扉体１２が当該高さのところに位置決めされ固定される。
【００１３】
本発明は、以上の発明の実施の形態に限定されることなく、特許請求の範囲に記載された発明の範囲内で、種々の変更が可能であり、それらも本発明の範囲内に包含されるものであることはいうまでもない。
【００１４】
例えば、前記実施の形態において扉体１２が固定されている状態では、レバー１６の第２部分２０の頂点部がガイドレールの溝の内端部及び扉体１２の面１２ｂに当たっているが、第２部分２０の辺部がガイドレールの溝の内端部及び扉体１２の面１２ｂに当たっていてもよい。また、前記実施の形態では、第２部分２０が六角形のプレートで形成されているが、第２部分２０を六角形以外の多角形のプレートや楕円形のプレートで形成してもよく、開口部２０ａが中央以外の箇所に設けられた円形プレートで形成してもよい。さらに、前記実施の形態では、ガイドレールがＬ形横断面のアングル材で形成されているが、コ形横断面のチャンネル材を用いてガイドレールを形成してもよい。
【図面の簡単な説明】
【００１５】
【図１】本発明の好ましい実施の形態に係るプッシュ式水門ゲートを示した正面図である。
【図２】図１の部分２の拡大斜視図である。
【図３】図１のプッシュ式水門ゲートを水門に取り付けた状態を示した正面図である。
【図４】図３の線４−４に沿って見た断面図である。
【図５】図５（ａ）は扉体が或る高さのところに位置決めされ固定されている状態を示した図、図５（ｂ）は図５（ａ）の部分５ｂの拡大図である。
【図６】図６（ａ）は扉体が昇降できるようにされている状態を示した図、図６（ｂ）は図６（ａ）の部分６ｂの拡大図である。
【符号の説明】
【００１６】
１０  プッシュ式水門ゲート
１２  扉体
１４  ゴム材
１６  レバー
１８  第１部分
２０  第２部分
２２  シャフト部分
２４  ハンドル部分
２８  接続板
【図１】
2006037374.tif 000003
【図２】
2006037374.tif 000004
【図３】
2006037374.tif 000005
【図４】
2006037374.tif 000006
【図５】
2006037374.tif 000007
【図６】
2006037374.tif 000008